(57)【要約】      （修正有）【課題】電線の被膜を迅速に除去し、銅線が回収可能な被膜剥離ハサミ構造を提供する。【解決手段】被膜剥離ハサミ構造は、ハサミ体１０の上くちばし部１１及び下くちばし部１２に設置する相互に対応するブレード台１３のブレード１４、サポートバー１５からなり、電線をブレード１４とサポートバー１５との間に挟み、ブレード１４は電線の被膜をカットし、ハサミ体１０のブレード台１３のブレード１４とサポートバー１５が電線に沿って被膜を移動し除去する。【選択図】図１
0003156387.tif 000002
【実用新案登録請求の範囲】
【請求項１】
被膜剥離ハサミ構造であって、ハサミ体の上くちばし部及び下くちばし部に設置する相互に対応するブレード台のブレード、サポートバーからなり、
該ブレード台のブレードと該サポートバーとの間に、電線を挟み、該ブレードは、電線の被膜に切り込み、
該ハサミ体のブレード台のブレード、該サポートバーが、電線に沿って移動すると、該ブレードは被膜をカットし除去したことを特徴とする、被膜剥離ハサミ構造。
【請求項２】
前記ハサミ体の前記上くちばし部及び下くちばし部には、組合せ孔を設置し、これらに前記ブレード台、前記サポートバーを設置したことを特徴とする請求項１記載の被膜剥離ハサミ構造。
【請求項３】
前記サポートバーには、前記軸カバーを被せたことを特徴とする請求項１記載の被膜剥離ハサミ構造。
【請求項４】
前記ブレード台、前記サポートバーは、前記ハサミ体の上くちばし部及び下くちばし部と一体成型とすることができることを特徴とする、請求項１記載の被膜剥離ハサミ構造。
【考案の詳細な説明】
【技術分野】
【０００１】
本考案は、被膜剥離ハサミ構造に関し、特にハサミ体のくちばし位置に、電線を挟んで制御できるブレード、サポートバーを設置し、ブレードは電線の被膜をカットできるため、電線の被膜を迅速に除去し、銅線が回収可能な被膜剥離ハサミ構造に関するものである。
【背景技術】
【０００２】
従来の被膜剥離ハサミは、電線の端の少しの部分の被膜を剥離できるだけであったため、電線全体の被膜を除去することはできなかった。そのため、電線の被膜を剥離し銅線を回収するため、従来は、以下の２種の方式が用いられていたが、それぞれに欠点が存在する。
１．人が手でカッターナイフを持ち、電線の被膜を削る方式は、労力、時間の浪費で、しかもブレードが銅線を傷つける例も多い。
２．専用の「被膜剥離機」を用いる方式では、該被膜剥離機が大きく、構造が複雑で、高価であるため、大量に電線を回収する専門工場での使用に限られ、一般の人が使用するには適していない。
【先行技術文献】
【特許文献】
【０００３】
【特許文献１】実用新案登録第３０８４２７９号公報
【考案の概要】
【考案が解決しようとする課題】
【０００４】
本考案が解決しようとする課題は、ハサミ体のくちばし位置に、電線を挟んで制御できるブレード、サポートバーを設置し、ブレードは電線の被膜をカットできるため、電線の被膜を迅速に除去し、銅線が回収可能な被膜剥離ハサミ構造を提供することである。
【課題を解決するための手段】
【０００５】
上記課題を解決するため、本考案は下記の被膜剥離ハサミ構造を提供する。
被膜剥離ハサミ構造は、ハサミ体の上くちばし部、及び、下くちばし部に設置する、相互に対応するブレード台、ブレード、サポートバーからなり、これらにより、電線を挟み、該ブレードは、電線の被膜をカットして、電線の被膜を銅線から剥離することができる。
【０００６】
すなわち、請求項１の考案は、被膜剥離ハサミ構造であって、ハサミ体の上くちばし部及び下くちばし部に設置する相互に対応するブレード台のブレード、サポートバーからなり、該ブレード台のブレードと該サポートバーとの間に、電線を挟み、該ブレードは、電線の被膜に切り込み、該ハサミ体のブレード台のブレード、該サポートバーが、電線に沿って移動すると、該ブレードは被膜をカットし除去したことを特徴とする。
【０００７】
請求項２の考案は、請求項１記載の被膜剥離ハサミ構造において、前記ハサミ体の前記上くちばし部及び下くちばし部には、組合せ孔を設置し、これらに前記ブレード台、前記サポートバーを設置したことを特徴とする。
【０００８】
請求項３の考案は、請求項１記載の被膜剥離ハサミ構造において、前記サポートバーには、前記軸カバーを被せたことを特徴とする。
【０００９】
請求項４の考案は、請求項１記載の被膜剥離ハサミ構造において、前記ブレード台、前記サポートバーは、前記ハサミ体の上くちばし部及び下くちばし部と一体成型とすることができることを特徴とする。
【考案の効果】
【００１０】
本考案被膜剥離ハサミ構造は、ハサミ体のくちばし位置に、電線を挟んで制御できるブレード、サポートバーを設置し、ブレードは電線の被膜をカットできるため、電線の被膜を迅速に除去し、銅線を回収可能することができる。
【図面の簡単な説明】
【００１１】
【図１】本考案の第一実施例の立体分解図である。
【図２】本考案の組合せ状態を示す立体図である。
【図３】本考案の使用状態を示す正面断面図である。
【図４】本考案を用いて被膜を剥がす状態を示す側面断面図である。
【図５】本考案の第二実施例の立体図である。
【考案を実施するための形態】
【００１２】
以下に図面を参照しながら、本考案を実施するための最良の形態について、詳細に説明する。
【実施例】
【００１３】
図１、２、３に示すように、本考案被膜剥離ハサミ構造は、ハサミ体10の上、下くちばし部11、12に設置する、相互に対応するブレード台13、ブレード14、サポートバー15からなる。これらにより、電線20を挟み、ブレード14は、電線20の被膜22をカットして、電線20の被膜22を銅線21から剥離することができる。
【００１４】
図１に示すように、本考案は、ブレード台13、サポートバー15を、ハサミ体10と組合せる。図１、２、３に示すように、該ハサミ体10の上くちばし部11には、組合せ孔110を設置し、該ブレード台13をボルト、ナットにより、該上くちばし部11の組合せ孔110に螺合する。該ブレード14は、ボルト、ナットにより、該ブレード台13に螺合される。該ハサミ体10の下くちばし部12には、組合せ孔120を設置し、該サポートバー15を設置する。
該サポートバー15には、軸カバー16を設置し、これにより軸カバー16は空転可能となる。
【００１５】
図３、４に示すように、電線20の一端を、該ブレード14と該サポートバー15及び軸カバー16との間に挟む。これにより、該ブレード14は、電線20被膜22に切り込む。したがって、該ハサミ体10を動かすと、該ブレード14も動き、該被膜22をカットすることができる。
つまり、該ブレード14は、電線20上において被膜22をカットし、これにより、銅線21を覆っていた円形被膜22はカットされ開き、こうして該被膜22は銅線21から剥離される。
上記により明らかなように、電線20の被膜22を除去し、銅線21を回収する時には、該ブレード14、該サポートバー15で電線20を挟む。
【００１６】
次に、電線20に沿ってハサミ体10を移動させれば、該ブレード14は、被膜22をカットして離し、こうして簡単、便利、かつ、迅速に労力を省きながら目的を達成することができる。
【００１７】
図５に示す本考案の第二実施例では、ハサミ体10上くちばし部11を、ブレード台130と一体成型し、ブレード14を設置する。
ハサミ体10下くちばし部12には、一体成型のサポートバー150を設置する。
こうして、第一実施例と同様に、該ブレード14、該サポートバー150により電線20を挟み、該ブレード14は電線被膜をカットし、第一実施例と同様の効果を達成することができる。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案登録請求の要件である新規性を備え、従来の同類製品に比べ十分な進歩を有し、実用性が高く、社会のニーズに合致しており、産業上の利用価値は非常に大きい。
【符号の説明】
【００２０】
10  ハサミ体
15、150  サポートバー
11  上くちばし部
16  軸カバー
12  下くちばし部
20  電線
110、120  組合せ孔
21  銅線
13、130  ブレード台
22  被膜
14  ブレード
【図１】
0003156387.tif 000003
【図２】
0003156387.tif 000004
【図３】
0003156387.tif 000005
【図４】
0003156387.tif 000006
【図５】
0003156387.tif 000007